(57)【要約】【課題】画像を良好に視認させることができる画像表示装置を提供する。【解決手段】画像表示装置１は、第１画像光及び第２画像光をそれぞれ形成し、形成した第１画像光及び第２画像光を互いに偏光方向が直交する各直線偏光でそれぞれ出射する表示装置本体２Ａ，２Ｂと、表示装置本体２Ａ，２Ｂとは別体で構成され、第１画像光を透過させる第１透過部、及び第２画像光を透過させる第２透過部を有する画像選択装置３とを備える。表示装置本体２Ａ，２Ｂは、第１画像光または第２画像光の光軸に対して光学軸が直交するように配設され、光軸に平行な軸を中心として回転可能とする位相差板２２５を備える。【選択図】図２
2011197522.tif 000002
【特許請求の範囲】
【請求項１】
第１画像光及び第２画像光をそれぞれ形成し、形成した前記第１画像光及び前記第２画像光を互いに偏光方向が直交する各直線偏光でそれぞれ出射する表示装置本体と、
前記表示装置本体とは別体で構成され、前記第１画像光を透過させる第１透過部、及び前記第２画像光を透過させる第２透過部を有する画像選択装置とを備え、
前記表示装置本体は、
前記第１画像光または前記第２画像光の光軸に対して光学軸が直交するように配設され、前記光軸に平行な軸を中心として回転可能とする位相差板を備える
ことを特徴とする画像表示装置。
【請求項２】
請求項１に記載の画像表示装置において、
前記画像選択装置の傾斜状態を検出する傾斜検出装置を備え、
前記表示装置本体は、
前記傾斜検出装置にて検出された前記画像選択装置の傾斜状態に基づいて、前記位相差板の回転位置を変更する回転位置制御部を備える
ことを特徴とする画像表示装置。
【発明の詳細な説明】
【技術分野】
【０００１】
本発明は、画像表示装置に関する。
【背景技術】
【０００２】
従来、スクリーン上に画像を投影するプロジェクターと、観察者に装着される偏光眼鏡とを備え、当該偏光眼鏡を通してスクリーン上の投影画像を立体視させる画像表示装置が知られている（例えば、特許文献１参照）。
特許文献１に記載の画像表示装置では、プロジェクターは、第１期間では左目用の画像光を形成するとともに左目用の画像光を第１直線偏光で出射し、第２期間では右目用の画像光を形成するとともに右目用の画像光を第１直線偏光に対して偏光方向が直交する第２直線偏光で出射する。また、偏光眼鏡は、第１直線偏光のみを透過させる左偏光レンズと、第２直線偏光のみを透過させる右偏光レンズとを備える。
そして、観察者は、偏光眼鏡を通して、左目にて左目用の画像光（第１直線偏光）のみを視認し、右目にて右目用の画像光（第２直線偏光）のみを視認することで、投影画像を立体視する。
【先行技術文献】
【特許文献】
【０００３】
【特許文献１】特開平４−１７７２３１号公報
【発明の概要】
【発明が解決しようとする課題】
【０００４】
しかしながら、特許文献１に記載の画像表示装置では、観察者が偏光眼鏡を通して投影画像を立体視している時に、例えば、体を横たえる等した場合に、偏光眼鏡の左右の各偏光レンズの透過軸と、左右の各画像光の偏光方向とが一致しなくなる。このため、右目用画像光が左目にて視認されたり、左目用画像光が右目にて視認されたりする、所謂、クロストークが生じてしまう、という問題がある。
【０００５】
本発明の目的は、画像を良好に視認させることができる画像表示装置を提供することにある。
【課題を解決するための手段】
【０００６】
本発明の画像表示装置は、第１画像光及び第２画像光をそれぞれ形成し、形成した前記第１画像光及び前記第２画像光を互いに偏光方向が直交する各直線偏光でそれぞれ出射する表示装置本体と、前記表示装置本体とは別体で構成され、前記第１画像光を透過させる第１透過部、及び前記第２画像光を透過させる第２透過部を有する画像選択装置とを備え、前記表示装置本体は、前記第１画像光または前記第２画像光の光軸に対して光学軸が直交するように配設され、前記光軸に平行な軸を中心として回転可能とする位相差板を備えることを特徴とする。
【０００７】
本発明では、表示装置本体に上述した位相差板が設けられているので、例えば、画像選択装置が水平位置から傾斜して配設され、各透過部の透過軸が傾斜した場合であっても、位相差板を回転させることで、第１画像光（直線偏光）の偏光方向を第１透過部の透過軸に一致させることができる。同様に、第２画像光（直線偏光）の偏光方向も第２透過部の透過軸に一致させることができる。
したがって、偏光眼鏡等の画像選択装置を装着した観察者が体を横たえる等した場合であっても、画像選択装置を通して、観察者に良好に画像を視認させることができる。
【０００８】
本発明の画像表示装置では、前記画像選択装置の傾斜状態を検出する傾斜検出装置を備え、前記表示装置本体は、前記傾斜検出装置にて検出された前記画像選択装置の傾斜状態に基づいて、前記位相差板の回転位置を変更する回転位置制御部を備えることが好ましい。
本発明では、表示装置本体に上述した回転位置制御部が設けられているので、画像選択装置の傾斜に応じて自動で位相差板の回転位置を変更できる。したがって、手動で位相差板の回転位置を変更する場合と比較して利便性の向上が図れる。
【図面の簡単な説明】
【０００９】
【図１】第１実施形態における画像表示装置の使用形態を示す斜視図。
【図２】第１実施形態における画像表示装置の構成を模式的に示すブロック図。
【図３】第１実施形態における左用プロジェクターを構成する光学ユニットの一部を模式的に示す平面図。
【図４】第１実施形態における第１位相差板の配設状態を模式的に示す図。
【図５】第１実施形態における右用プロジェクターを構成する光学ユニットの一部を模式的に示す平面図。
【図６】第１実施形態における偏光眼鏡が水平姿勢の場合に各プロジェクターから出射され偏光眼鏡に至る画像光の偏光状態を示す図。
【図７】第１実施形態における偏光眼鏡が傾斜姿勢の場合に各プロジェクターから出射され偏光眼鏡に至る画像光の偏光状態を示す図。
【図８】第２実施形態における画像表示装置の使用形態を示す斜視図。
【図９】第２実施形態における画像表示装置の構成を模式的に示すブロック図。
【発明を実施するための形態】
【００１０】
[第１実施形態]
以下、本発明の第１実施形態を図面に基づいて説明する。
〔画像表示装置の構成〕
図１は、画像表示装置１の使用形態を示す斜視図である。
図２は、画像表示装置１の構成を模式的に示すブロック図である。
画像表示装置１は、反射型のスクリーンＳｃ上に投影画像を表示するとともに、観察者に投影画像を立体視させる。この画像表示装置１は、図１または図２に示すように、左用プロジェクター２Ａと、右用プロジェクター２Ｂと、画像選択装置としての偏光眼鏡３とを備える。
なお、各プロジェクター２Ａ，２Ｂが本発明に係る表示装置本体に相当するものである。
【００１１】
〔プロジェクターの構成〕
各プロジェクター２Ａ，２Ｂは、略同様の構成を有しているため、以下では、左用プロジェクター２Ａを主に説明し、右用プロジェクター２Ｂについては左用プロジェクター２Ａと異なる点のみを説明する。また、図２では、各プロジェクター２Ａ，２Ｂにおいて、同様の機能を有する構成については、同一の符号を付している。以下の図３及び図４も同様である。
左用プロジェクター２Ａは、画像情報（画像データ）に基づく画像光を形成してスクリーンＳｃ上に投射する。この左用プロジェクター２Ａは、図１ないし図３に示すように、外装を構成する外装筐体２１（図１）と、外装筐体２１に収納される光学ユニット２２（図３）及び制御装置２３（図２）とを備える。
【００１２】
〔光学ユニットの構成〕
図３は、左用プロジェクター２Ａを構成する光学ユニット２２の一部を模式的に示す平面図である。
なお、図３において、紙面に直交する方向は、図１の上下方向（鉛直方向）に相当するものである。
以下では、説明の便宜上、図３中、紙面に直交する偏光方向を有する直線偏光を第１直線偏光Ｓと記載し、第１直線偏光Ｓの偏光方向に直交し、図３中、紙面に平行する偏光方向を有する直線偏光を第２直線偏光Ｐとして記載する。
光学ユニット２２は、図３に示すように、３つの液晶パネル２２１と、３つの入射側偏光板２２２と、３つの出射側偏光板２２３と、クロスダイクロイックプリズム２２４と、第１位相差板２２５と、投射光学装置としての投射レンズ２２６とを備える。
【００１３】
３つの入射側偏光板２２２は、第２直線偏光Ｐの偏光方向と同一方向の透過軸を有する。すなわち、光源装置（図示略）から出射され３つの入射側偏光板２２２に入射した赤、緑、青の各色光Ｒ，Ｇ，Ｂは、図３に示すように、各入射側偏光板２２２から第２直線偏光Ｐとして出射される。
３つの出射側偏光板２２３は、入射側偏光板２２２の透過軸に対して直交する透過軸を有する。すなわち、各入射側偏光板２２２から出射され、各液晶パネル２２１を介して各出射側偏光板２２３に入射した各色光Ｒ，Ｇ，Ｂ（各画像光）は、図３に示すように、各出射側偏光板２２３から第１直線偏光Ｓとして出射される。
プリズム２２４は、図３に示すように、平面視で略Ｘ字状に交差する一対の誘電体多層膜２２４Ａ，２２４Ｂを有する。一方の誘電体多層膜２２４Ａは赤色光Ｒを反射するものであり、他方の誘電体多層膜２２４Ｂは青色光Ｂを反射するものであり、これらの誘電体多層膜２２４Ａ，２２４Ｂによって赤、青の各色光Ｒ，Ｂは曲折され、緑色光Ｇの進行方向と揃えられることで、３つの色光Ｒ，Ｇ，Ｂが合成される。
【００１４】
図４は、第１位相差板２２５の配設状態を模式的に示す図である。具体的に、図４は、第１位相差板２２５を各色光Ｒ，Ｇ，Ｂの光軸Ａｘに沿う方向から見た図である。
第１位相差板２２５は、１／２波長板で構成され、図３または図４に示すように、プリズム２２４と投射レンズ２２６との間において、各色光Ｒ，Ｇ，Ｂの光軸Ａｘ（図４）に対して光学軸Ｏax（図４）が直交するように配設されている。
そして、第１位相差板２２５は、具体的な図示は省略したが、光軸Ａｘを中心として回転可能に構成され、制御装置２３による制御の下、通常姿勢（光学軸Ｏaxが第１直線偏光Ｓの偏光方向と一致する姿勢）から回転位置が適宜、変更される。
すなわち、左用プロジェクター２Ａは、第１位相差板２２５が通常姿勢である場合には、図３に示すように、各画像光を第１直線偏光ＳでスクリーンＳｃ上に投射する。
【００１５】
図５は、右用プロジェクター２Ｂを構成する光学ユニット２２の一部を模式的に示す平面図である。
右用プロジェクター２Ｂを構成する光学ユニット２２は、図５に示すように、左用プロジェクター２Ａに対して、プリズム２２４と第１位相差板２２５との間に第２位相差板２２７が配設されている点が異なる。
第２位相差板２２７は、第１位相差板２２５と同様に１／２波長板で構成され、具体的な図示は省略したが、各色光Ｒ，Ｇ，Ｂの光軸Ａｘに対して光学軸が４５°傾斜した状態で配設されている。
このため、プリズム２２４から出射された各画像光（第１直線偏光Ｓ）は、第２位相差板２２７にて第２直線偏光Ｐに変換されることとなる。
すなわち、右用プロジェクター２Ｂは、第１位相差板２２５が通常姿勢である場合には、図５に示すように、各画像光を第２直線偏光ＰでスクリーンＳｃ上に投射する。
【００１６】
〔制御装置の構成〕
左用プロジェクター２Ａを構成する制御装置２３は、ＣＰＵ(Central Processing Unit)等を有し、液晶パネル２２１の動作を制御するとともに、第１位相差板２２５の回転位置を変更する。この制御装置２３は、図２に示すように、表示制御部２３１と、タイミングコントローラー２３２と、受信部２３３と、回転位置制御部２３４とを備える。
タイミングコントローラー２３２は、左用プロジェクター２Ａ外部から基準同期信号を入力し、当該基準同期信号に同期して後述するパネル駆動部２３１Ｃを動作させる。すなわち、タイミングコントローラー２３２は、左用プロジェクター２Ａと右用プロジェクター２ＢとでスクリーンＳｃ上に投影される左目用画像及び右目用画像の表示タイミングを同期させる。
【００１７】
表示制御部２３１は、図２に示すように、画像ＲＯＭ(Read Only Memory)２３１Ａと、信号処理部２３１Ｂと、パネル駆動部２３１Ｃとを備える。
画像ＲＯＭ２３１Ａは、各液晶パネル２２１に形成させる画像データを記憶する。ここで、画像データは、左目用画像データで構成されている。また、左目用画像データは、１フレーム毎のデータの集まりによってそれぞれ構成されている。
信号処理部２３１Ｂは、画像ＲＯＭ２３１Ａに記憶された画像データ（左目用画像データ）を読み出し、読み出した画像データを赤、緑、青の各色信号に変換してパネル駆動部２３１Ｃに出力する。
そして、パネル駆動部２３１Ｃは、信号処理部２３１Ｂから出力された各色信号に基づいて、各色信号に対応する各液晶パネル２２１を駆動する。
すなわち、左用プロジェクター２Ａは、スクリーンＳｃ上に左目用画像データに基づく左目用の画像光を投影する。
【００１８】
受信部２３３は、偏光眼鏡３から送信された信号を受信する。
本実施形態では、受信部２３３は、具体的な図示は省略したが、赤外受光素子等で構成され、偏光眼鏡３から出射された赤外光を受光して信号に変換し、回転位置制御部２３４に出力する。
回転位置制御部２３４は、受信部２３３からの信号により偏光眼鏡３の傾斜状態を認識し、当該傾斜状態に基づいて、モーター等の駆動部（図示略）を駆動させ、第１位相差板２２５の回転位置を変更する。
【００１９】
右用プロジェクター２Ｂを構成する制御装置２３は、左用プロジェクター２Ａを構成する制御装置２３に対して、画像ＲＯＭ２３１Ａに右目用画像データが記憶されている点が異なる。
すなわち、右用プロジェクター２Ｂは、表示制御部２３１にて液晶パネル２２１の動作を制御することで、スクリーンＳｃ上に右目用画像データに基づく右目用の画像光を投影する。
【００２０】
〔偏光眼鏡の構成〕
偏光眼鏡３は、観察者が装着するものであり、図１または図２に示すように、第１透過部としての左目用透過部３１（図１）と、第２透過部としての右目用透過部３２（図１）と、傾斜検出装置としての傾斜検出部３３（図２）と、送信部３４（図２）とを備える。
左目用透過部３１は、各透過部３１，３２が水平方向に並列する（各透過部３１，３２の中心位置を結ぶ直線Ｌ（図１）が水平面に平行となる）ように偏光眼鏡３が観察者に装着された状態（以下、水平姿勢の状態）で、透過軸が第１直線偏光Ｓの偏光方向と同一方向となる偏光レンズで構成されている。
右目用透過部３２は、上述した状態で、透過軸が第２直線偏光Ｐの偏光方向と同一方向となる偏光レンズで構成されている。
【００２１】
傾斜検出部３３は、偏光眼鏡３の傾斜状態を検出する。
本実施形態では、傾斜検出部３３は、具体的な図示は省略したが、ジャイロセンサーで構成され、偏光眼鏡３の傾斜角度を検出した後、傾斜角度に応じた信号を送信部３４に出力する。
なお、上述した傾斜角度は、偏光眼鏡３を装着した観察者が頭を傾ける、あるいは、体を横たえる等により、偏光眼鏡３が水平姿勢の状態から傾いた角度（直線Ｌと水平面とのなす角度）を意味するものである。
【００２２】
送信部３４は、傾斜検出部３３にて検出された傾斜角度に関する信号を受信部２３３に送信する。
本実施形態では、送信部３４は、具体的な図示は省略したが、赤外発光ＬＥＤ(Light Emitting Diode)、及び当該赤外発光ＬＥＤを発光させる駆動回路等で構成され、上述した信号を、発光時間や発光パターンを変化させることで送信する。
【００２３】
〔画像表示装置の動作〕
次に、上述した画像表示装置１の動作として、第１位相差板２２５の回転位置を変更する動作について説明する。
なお、以下では、偏光眼鏡３が水平姿勢である場合での動作（水平姿勢での動作）、及び偏光眼鏡３が水平姿勢から傾斜した場合での動作（傾斜姿勢での動作）を順に説明する。
【００２４】
〔水平姿勢での動作〕
図６は、偏光眼鏡３が水平姿勢の場合に各プロジェクター２Ａ，２Ｂから出射され偏光眼鏡３に至る画像光の偏光状態を示す図である。
左用プロジェクター２Ａ（回転位置制御部２３４）は、偏光眼鏡３（送信部３４）からの信号に基づいて、偏光眼鏡３が水平姿勢であると認識した場合には、図６に示すように、第１位相差板２２５を通常姿勢（光学軸Ｏaxが第１直線偏光Ｓの偏光方向に一致する姿勢）に設定する。
このため、図６に示すように、プリズム２２４から出射された左目用の画像光（第１直線偏光Ｓ）は、偏光方向を維持しながら第１位相差板２２５を透過し、スクリーンＳｃ上に投影される。したがって、偏光眼鏡３を装着した観察者は、スクリーンＳｃ上の左目用画像を、左目用透過部３１を介して左目のみで視認する。
【００２５】
一方、右用プロジェクター２Ｂ（回転位置制御部２３４）は、偏光眼鏡３が水平姿勢であると認識した場合には、左用プロジェクター２Ａと同様に、第１位相差板２２５を通常姿勢に設定する。
このため、図６に示すように、プリズム２２４から出射された右目用の画像光（第２直線偏光Ｐ）は、偏光方向を維持しながら第１位相差板２２５を透過し、スクリーンＳｃ上に投影される。したがって、偏光眼鏡３を装着した観察者は、スクリーンＳｃ上の右目用画像を、右目用透過部３２を介して右目のみで視認する。
以上のように、観察者は、スクリーンＳｃ上の左目用画像を左目のみで視認し、右目用画像を右目のみで視認することで、視差により投影画像を立体視することとなる。
【００２６】
〔傾斜姿勢での動作〕
図７は、偏光眼鏡３が傾斜姿勢の場合に各プロジェクター２Ａ，２Ｂから出射され偏光眼鏡３に至る画像光の偏光状態を示す図である。
なお、図７に示す例では、偏光眼鏡３は、水平姿勢から４５°の傾斜角度で傾斜した場合を示している。すなわち、各透過部３１，３２は、各透過軸が第１直線偏光Ｓ及び第２直線偏光Ｐの各偏光方向に対して４５°でそれぞれ傾斜することとなる。
左用プロジェクター２Ａは、偏光眼鏡３からの信号に基づいて、偏光眼鏡３が水平姿勢から傾斜していると認識した場合には、傾斜角度に応じて、第１位相差板２２５を通常姿勢から所定角度、回転させる。
例えば、図７の例では、左用プロジェクター２Ａは、第１位相差板２２５を通常姿勢から２２．５°回転させる（光学軸Ｏaxを第１直線偏光Ｓの偏光方向に対して２２．５°傾斜させる）。
このため、図７に示すように、プリズム２２４から出射された左目用の画像光（第１直線偏光Ｓ）は、第１位相差板２２５を透過することで、左目用透過部３１の透過軸と同一方向の偏光方向を有する直線偏光に変換されて、スクリーンＳｃ上に投影される。したがって、偏光眼鏡３を装着した観察者は、スクリーンＳｃ上の左目用画像を、左目用透過部３１を介して左目のみで視認する。
【００２７】
一方、右用プロジェクター２Ｂは、偏光眼鏡３が水平姿勢から傾斜していると認識した場合には、左用プロジェクター２Ａと同様に、傾斜角度に応じて、第１位相差板２２５を通常姿勢から所定角度、回転させる。
例えば、図７の例では、右用プロジェクター２Ｂは、左用プロジェクター２Ａと同様に、第１位相差板２２５を通常姿勢から２２．５°回転させる。
このため、図７に示すように、プリズム２２４から出射された右目用の画像光（第２直線偏光Ｓ）は、第１位相差板２２５を透過することで、右目用透過部３２の透過軸と同一方向の偏光方向を有する直線偏光に変換されて、スクリーンＳｃ上に投影される。したがって、偏光眼鏡３を装着した観察者は、スクリーンＳｃ上の右目用画像を、右目用透過部３２を介して右目のみで視認する。
【００２８】
上述した第１実施形態によれば、以下の効果がある。
本実施形態では、各プロジェクター２Ａ，２Ｂに第１位相差板２２５が設けられているので、偏光眼鏡３が傾斜姿勢になった場合であっても、第１位相差板２２５を回転させることで、左目用の画像光（第１直線偏光Ｓ）の偏光方向を左目用透過部３１の透過軸に一致させることができる。同様に、右目用の画像光（第２直線偏光Ｐ）の偏光方向を右目用透過部３２の透過軸に一致させることができる。
したがって、偏光眼鏡３を装着した観察者が体を横たえる等した場合であっても、偏光眼鏡３を通して、観察者に良好に画像を立体視させることができる。
【００２９】
また、各プロジェクター２Ａ，２Ｂに回転位置制御部２３４が設けられているので、偏光眼鏡３の傾斜に応じて自動で第１位相差板２２５の回転位置を変更できる。したがって、手動で第１位相差板２２５の回転位置を変更する場合と比較して利便性の向上が図れる。
【００３０】
[第２実施形態]
次に、本発明の第２実施形態を図面に基づいて説明する。
以下の説明では、前記第１実施形態と同様の構造及び同一部材には同一の符号を付して、その詳細な説明は省略または簡略化する。
図８は、第２実施形態における画像表示装置１の使用形態を示す斜視図である。
図９は、第２実施形態における画像表示装置１の構成を模式的に示すブロック図である。
本実施形態の画像表示装置１は、前記第１実施形態に対して、図８または図９に示すように、本発明に係る表示装置本体をプロジェクター２の１台で構成した点が異なる。その他の構成は、前記第１実施形態と同様のものである。
【００３１】
プロジェクター２は、前記第１実施形態で説明した各プロジェクター２Ａ，２Ｂに対して、プリズム２２４及び第１位相差板２２５の間に、偏光切替装置２４（図９）を備える。
偏光切替装置２４は、電圧印加の状態（ＯＮ状態）と電圧非印加の状態（ＯＦＦ状態）とでΔｎｄ（位相差）を０とλ／２の間で切り替える液晶セルで構成されている。
【００３２】
また、プロジェクター２の制御装置２３は、前記第１実施形態で説明した各プロジェクター２Ａ，２Ｂに対して、画像ＲＯＭ２３１Ａに記憶された画像データ、信号処理部２３１Ｂ及びタイミングコントローラー２３２の処理が異なるとともに、セル駆動部２３５を備える。
すなわち、タイミングコントローラー２３２は、画像ＲＯＭ２３１Ａに記憶された画像データに含まれる同期信号を読み取ってパネル駆動部２３１Ｃ及びセル駆動部２３５の同期をとる。
【００３３】
また、画像ＲＯＭ２３１Ａは、左目用画像データ及び右目用画像データを記憶する。
さらに、信号処理部２３１Ｂは、第１期間では、パネル駆動部２３１Ｃを介して、各液晶パネル２２１に左目用画像データに基づく左目用の画像光を形成させる。また、信号処理部２３１Ｂは、第２期間では、パネル駆動部２３１Ｃを介して、各液晶パネル２２１に右目用画像データに基づく右目用の画像光を形成させる。
そして、第１期間及び第２期間は、例えば、６０Ｈｚの周期で交互に切り替えられる。
【００３４】
セル駆動部２３５は、第１期間では偏光切替装置２４に電圧を印加してＯＮ状態にし、第２期間では偏光切替装置２４に電圧を印加せずにＯＦＦ状態にする。
すなわち、プロジェクター２は、第１位相差板２２５が通常姿勢である場合には、第１期間では第１直線偏光Ｓの左目用の画像光をスクリーンＳｃ上に投影し、第２期間では第２直線偏光Ｐの右目用の画像光をスクリーンＳｃ上に投影する。
なお、第１位相差板２２５の回転位置を変更する動作については、前記第１実施形態と同様であるため、説明を省略する。
上述した第２実施形態のようにプロジェクター２を１台で構成した場合であっても、前記第１実施形態と同様の効果を享受できる。
【００３５】
なお、本発明は前述の実施形態に限定されるものではなく、本発明の目的を達成できる範囲での変形、改良等は本発明に含まれるものである。
前記各実施形態では、本発明に係る画像表示装置を、観察者に投影画像を立体視させる画像表示装置として構成していたが、これに限らない。例えば、左目用画像及び右目用画像をコンテンツの異なる画像とし、２つの投影画像を表示するデュアル表示装置として構成しても構わない。
このようなデュアル表示装置として構成した場合には、偏光眼鏡３としては、左目用透過部３１を左右に設けた偏光眼鏡、及び右目用透過部３２を左右に設けた偏光眼鏡の２種類を設ければよい。
【００３６】
前記各実施形態では、本発明に係る傾斜検出装置をジャイロセンサーで構成していたが、これに限らず、偏光眼鏡３の傾斜角度を検出できる構成であれば、その他の構成を採用しても構わない。
前記各実施形態では、回転位置制御部２３４により第１位相差板２２５の回転位置が制御されていたが、これに限らない。例えば、外装筐体２１外部から第１位相差板２２５を操作可能に構成し、手動にて第１位相差板２２５の回転位置を変更するように構成しても構わない。
前記各実施形態では、画像表示装置１として、フロント投射型のプロジェクター２，２Ａ，２Ｂを採用した例のみを挙げたが、スクリーンを備え、当該スクリーンの裏面側から投射を行うリアタイプのプロジェクターを採用した構成としても構わない。
【産業上の利用可能性】
【００３７】
本発明は、プロジェクターや偏光眼鏡を用いて画像を立体視させる画像表示装置に利用できる。
【符号の説明】
【００３８】
１・・・画像表示装置、２，２Ａ，２Ｂ・・・プロジェクター（表示装置本体）、３・・・偏光眼鏡（画像選択装置）、３１・・・左目用透過部（第１透過部）、３２・・・右目用透過部（第２透過部）、３３・・・傾斜検出部（傾斜検出装置）、２２５・・・第１位相差板、２３４・・・回転位置制御部。
【図１】
2011197522.tif 000003
【図２】
2011197522.tif 000004
【図３】
2011197522.tif 000005
【図４】
2011197522.tif 000006
【図５】
2011197522.tif 000007
【図６】
2011197522.tif 000008
【図７】
2011197522.tif 000009
【図８】
2011197522.tif 000010
【図９】
2011197522.tif 000011